(57)【要約】【課題】  釣銭用の紙幣を装置内に収納し、高額紙幣が投入された場合には、収納した紙幣を釣銭として払い出すことのできる紙幣処理装置を提供する。【解決手段】  紙幣挿入口３１より挿入された紙幣Ｂが釣銭として適合する紙幣であると、押圧部材変位機構６４が縮小し、筐体６２の上下から棚板状に張り出した仕切り板６１の間を押圧部材６８が通り抜けたところで停止する。紙幣搬送手段３２に付設された切替装置５０の切替レバー５１の切り替えによって、紙幣Ｂは、装置内部へと導かれ、仕切り板６１と押圧部材６８とによって形成される間隙を取込部とする紙幣取込部７２に取り込まれたのち、付勢手段６５によって押圧部材６８が元の位置に復帰するのにともなって、紙幣収納部６９に収納される。紙幣Ｂを釣銭として返却する場合には、釣銭返却ローラ７０の作動と紙幣搬送手段３２の逆回転とによって、紙幣挿入口３１を通じて外部に排出する。【選択図】  図２
2006302236.tif 000002
【特許請求の範囲】
【請求項１】
紙幣挿入口より投入される紙幣を装置本体内部に形成した紙幣収納部へと誘導する紙幣搬送手段と、前記紙幣搬送手段の搬送路に付設されたセンサによって読み取られたデータに基づいて投入紙幣の金種および真贋を判別する紙幣識別手段と、前記紙幣識別手段によって真券と判別された紙幣を前記紙幣収納部に収納するスタック機構とを備え、
前記紙幣収納部は、前記紙幣搬送手段に近い側に配設された係止部材と、前記紙幣搬送手段の遠い側に紙幣の幅より幅狭の形状を有して配設され、前記係止部材とでもって紙幣の両面から紙幣を挟持するように形成した押圧部材とによって形成され、
前記スタック機構は、前記係止部材を押圧する状態と、前記係止部材より離間した状態との間で前記押圧部材を往復させる機能を備えるとともに、前記押圧部材の往復途中には、前記押圧部材が通り抜けできるように形成された仕切り板が装置本体より突設され、前記押圧部材が前記係止部材より離間する移動を開始して前記仕切り板を通り抜けたところに創出される前記仕切り板と前記押圧部材との間隙が紙幣取込部とされ、
前記紙幣搬送手段によって搬送されてきた紙幣は、前記紙幣取込部に取り込まれたのち、前記押圧部材が前記係止部材を押圧する側に復帰するのに伴って、前記紙幣収納部に収納されるように構成されていることを特徴とする紙幣処理装置。
【請求項２】
前記紙幣挿入口より投入された紙幣が、前記紙幣識別手段によって真券でないものと判別された場合には、前記紙幣搬送手段の逆転駆動によって逆送されて前記紙幣挿入口より排出されるとともに、前記紙幣搬送手段の逆転駆動は、前記スタック機構の作動が終了するのを待ってから開始されるように制御部によって制御されていることを特徴とする請求項１に記載の紙幣処理装置。
【請求項３】
前記紙幣収納部に収納された紙幣に対して、前記係止部材が存在する側から当接するように釣銭返却ローラが配設され、釣銭の払出要求に応じて、前記釣銭返却ローラを駆動させると同時に、前記紙幣搬送手段を逆転駆動させることにより、投入時とは逆方向に搬送路を辿って、前記紙幣挿入口から紙幣が排出されるように構成されていることを特徴とする請求項１または請求項２に記載の紙幣処理装置。
【請求項４】
前記紙幣搬送手段の搬送路には切替レバーが付設され、前記紙幣識別手段によって投入された紙幣の金種が釣銭として適用することのできる紙幣と判別された場合には、前記紙幣収納部が許容できる最大収納枚数を満たしていない場合に限り前記紙幣収納部に前記紙幣を送り出す一方、前記紙幣収納部が許容できる収納枚数で満杯の場合、ならびに投入された紙幣の金種が高額紙幣と判別された場合には、該釣銭適合紙幣ならびに高額紙幣を本紙幣処理装置に接続させた紙幣搬送装置に送り出すように切り替えられることを特徴とする請求項３に記載の紙幣処理装置。
【請求項５】
貸出スイッチと精算スイッチとを備えた遊技媒体貸出機に装着され、高額紙幣が投入された場合に、前記貸出スイッチの押下に伴って遊技媒体の貸し出しと投入金額からの貸出分の減算処理が行われ、さらに前記貸出スイッチが押下されたときには遊技媒体の貸し出しと投入金額からの貸出分の減算処理が繰り返し行われるとともに、精算スイッチの押下に伴って、前記紙幣収納部に釣銭用の紙幣が貯留されていることを条件に、前記紙幣収納部より釣銭となる紙幣を返却することを特徴とする請求項３または請求項４に記載の紙幣処理装置。
【発明の詳細な説明】
【技術分野】
【０００１】  本発明は、釣銭用としての紙幣を収納することができ、高額紙幣の投入に対しては、収納した紙幣を釣銭として払い出すことのできる紙幣処理装置に関する。
【背景技術】
【０００２】  パチンコ機やスロットマシンなどを取り揃えた遊技施設には、ゲーム機とともに遊技媒体貸出機が設置されて、ゲームが実施できるようになっている。遊技媒体の貸し出しを受けるために遊技客が投入する有価価値には、カード、チップ、硬貨、紙幣などといった種類のものがある。このなかで、紙幣を受け付ける貸出機は、予めカードなどを購入するといった手間が要らないという手軽さがある。さらに、高額紙幣を受け入れて釣銭を払い出す形式の遊技媒体貸出機は、たとえば千円紙幣に両替えをしておく必要がないので、遊技機に向き合ったままゲームを継続して行うことができるという点で、遊技客にとって利便性が高いものとなっている。【０００３】  ところで、説明の都合上、釣銭としての紙幣の払い出し機能を伴わない従来の紙幣処理装置の代表的なものについて、特許文献１によって紹介する。この紙幣処理装置１０１について、図９を参照しながら説明すると、紙幣挿入口１０３より投入された紙幣は、紙幣搬送部１０４によって装置本体１０２の内部へと搬送される。紙幣搬送部１０４の紙幣搬送路１１０にはデータ読取部１０５が配設されており、搬送中の紙幣の真贋などに関するデータが読み取られる。読み取られたデータに基づいて真券と判定された紙幣は、紙幣収納ボックス１０６内に取り込まれる。その際、紙幣の両サイドを支持するように棚板状に突設されたガイド部材１１６の同図における上面に載置される形で取り込まれる。【０００４】  そののち、紙幣搬送部１０４の駆動源となっているモータ１５０の逆回転を利用して、押圧手段１０７にあるリンク装置１４１を作動させる。すると、リンク装置１４１に装着されているリフトテーブル１４０が同図における下方に移動を開始し、ガイド部材１１６に両サイドが架け渡された状態で載置されていた紙幣に対して、その中央部から押圧を加える。紙幣の両サイドは変形してガイド部材１１６を乗り越え、紙幣収納部１０８に押し込められる。紙幣収納ボックス１０６には、コイルスプリング１１５によって上方に付勢されたスタッカープレート１１４が配設されており、最終的に、投入された紙幣は、ガイド部材１１６の下面とスタッカープレート１１４とによって挟持される形で積層収納されるという構成となっている。【０００５】  また、特許文献２には、高額紙幣であっても容易に玉貸しができるようにした遊技用の玉貸機が開示されている。この玉貸機は、紙幣投入口から千円紙幣が投入されると、真偽チェックを行なうとともに真券の場合は玉貸しができるように構成され、紙幣投入口から投入された千円紙幣をリサイクル使用すべく貯留する釣銭保管部と、この釣銭保管部に貯留された千円紙幣を釣銭として払い出す払出機構とが設けられている。そして、高額紙幣が紙幣投入口から投入され、この投入された高額紙幣が真券であると、千円分の玉を貸し出すとともに、釣銭相当数の千円紙幣を払出機構により釣銭保管部から払い出す構成としたことを特徴とするものである。【０００６】
【特許文献１】  特開平６−１７６２４５号公報
【特許文献２】  特開平６−１９０１３６号公報
【発明の開示】
【発明が解決しようとする課題】
【０００７】  特許文献１に記載された紙幣処理装置では、積層収納される紙幣は、図９に示された紙幣収納ボックスの下方に向かって札束の厚みを増していくことになる。そして、このような紙幣の束から釣銭返却用としての紙幣を取り出そうとするには、札束の最上にある紙幣から順に１枚づつ取り出すのが、取り出しをする位置が不動であるという理由から、製品化するうえで好都合である。ところが、この引例のような構成の紙幣処理装置は、押圧手段がリフトテーブルの上方に配置されているために、当該付近にさらに釣銭返却機能を加えるという設計は、スペースに余裕がない分、現実的な問題としてかなり難しい。【０００８】  また、特許文献２は、釣銭の払出機構を備えた玉貸機に関するものであるが、その仕組みについて述べただけの概念的なものであり、詳細な構造については何の説明もされていないので、具体化するためにはやはり相当な苦労が必要である。本発明は、以上ような困難を解決して、紙幣を収納し、かつ釣銭を払い出す機構を備えた実現しうる紙幣処理装置の一つを提供しようとするものである。
【課題を解決するための手段】
【０００９】  本発明は、上記の如き課題を解決するためになされたもので、請求項１に記載の紙幣処理装置は、紙幣挿入口より投入される紙幣を装置本体内部に形成した紙幣収納部へと誘導する紙幣搬送手段と、前記紙幣搬送手段の搬送路に付設されたセンサによって読み取られたデータに基づいて投入紙幣の金種および真贋を判別する紙幣識別手段と、前記紙幣識別手段によって真券と判別された紙幣を前記紙幣収納部に収納するスタック機構とを備え、前記紙幣収納部は、前記紙幣搬送手段に近い側に配設された係止部材と、前記紙幣搬送手段の遠い側に紙幣の幅より幅狭の形状を有して配設され、前記係止部材とでもって紙幣の両面から紙幣を挟持するように形成した押圧部材とによって形成され、前記スタック機構は、前記係止部材を押圧する状態と、前記係止部材より離間した状態との間で前記押圧部材を往復させる機能を備えるとともに、前記押圧部材の往復途中には、前記押圧部材が通り抜けできるように形成された仕切り板が装置本体より突設され、前記押圧部材が前記係止部材より離間する移動を開始して前記仕切り板を通り抜けたところに創出される前記仕切り板と前記押圧部材との間隙が紙幣取込部とされ、前記紙幣搬送手段によって搬送されてきた紙幣は、前記紙幣取込部に取り込まれたのち、前記押圧部材が前記係止部材を押圧する側に復帰するのに伴って、前記紙幣収納部に収納されるように構成されていることを特徴とする。【００１０】  この紙幣処理装置は、スタック機構を紙幣搬送手段から装置内の最も離れた位置に配置するようにしたものである。紙幣収納部への紙幣の収納は、従来技術にみられる収納方向とは逆の方向、すなわち紙幣搬送手段からみて遠い側から手前側に接近するようにして行われる構成となっている。それ故、従来は紙幣搬送手段の近くに確保することが難しかった空きスペースを確保することができることから、収納された紙幣を釣銭として繰り出す手段を紙幣の取り出しに好都合となる紙幣搬送手段の側に設置することができるようになる。【００１１】  請求項２に記載の紙幣処理装置は、前記紙幣挿入口より投入された紙幣が、前記紙幣識別手段によって真券でないものと判別された場合には、前記紙幣搬送手段の逆転駆動によって逆送されて前記紙幣挿入口より排出されるとともに、前記紙幣搬送手段の逆転駆動は、前記スタック機構の作動が終了するのを待ってから開始されるように制御部によって制御されていることを特徴とする。【００１２】  投入された紙幣が真券でないものと判別された場合には、紙幣搬送手段の逆転駆動によって、紙幣挿入者の手元にその紙幣が返送される措置がとられる。このとき、先に投入された紙幣が紙幣収納部に収納しきらないうちに逆転駆動させることは、紙幣詰まりなどのトラブルを引き起こす心配がある。これについては、従来の紙幣処理装置においても、さまざまな防止策が講じられている。本紙幣処理装置では、本装置に必要とされる２つの駆動源の作動を開始するタイミングをずらすという簡単な制御のみで、前記のようなトラブルを防止するようにしたものである。【００１３】  請求項３に記載の紙幣処理装置は、前記紙幣収納部に収納された紙幣に対して、前記係止部材が存在する側から当接するよ��に釣銭返却ローラが配設され、釣銭の払出要求に応じて、前記釣銭返却ローラを駆動させると同時に、前記紙幣搬送手段を逆転駆動させることにより、投入時とは逆方向に搬送路を辿って、前記紙幣挿入口から紙幣が排出されるように構成されていることを特徴とする。【００１４】  これは、釣銭としての紙幣を収納時と同じ紙幣搬送手段を利用して返送し、投入時と同じ紙幣挿入口より返却するというものであるから、コンパクトにまとまった紙幣処理装置とすることができる。紙幣の出入り口が１ヶ所であることから利用者にとって分かりやすく、見た目にもすっきりとしたデザインとなる。【００１５】  請求項４に記載の紙幣処理装置は、前記紙幣搬送手段の搬送路には切替レバーが付設され、前記紙幣識別手段によって投入された紙幣の金種が釣銭として適用することのできる紙幣と判別された場合には、前記紙幣収納部が許容できる最大収納枚数を満たしていない場合に限り前記紙幣収納部に前記紙幣を送り出す一方、前記紙幣収納部が許容できる収納枚数で満杯の場合、ならびに投入された紙幣の金種が高額紙幣と判別された場合には、該釣銭適合紙幣ならびに高額紙幣を本紙幣処理装置に接続させた紙幣搬送装置に送り出すように切り替えられることを特徴とする。【００１６】  これは、切替レバーが切り替わることによって、釣銭として貯える必要があると認められた紙幣だけが紙幣収納部に収納され、高額紙幣、および釣銭適合紙幣であっても紙幣収納部に収納されない紙幣は、本紙幣処理装置に接続させた紙幣搬送路に送り出されて、島端などに設けられている金庫に収納されるようにしたものである。【００１７】  請求項６に記載の紙幣処理装置は、貸出スイッチと精算スイッチとを備えた遊技媒体貸出機に装着され、高額紙幣が投入された場合に、前記貸出スイッチの押下に伴って遊技媒体の貸し出しと投入金額からの貸出分の減算処理が行われ、さらに前記貸出スイッチが押下されたときには遊技媒体の貸し出しと投入金額からの貸出分の減算処理が繰り返し行われるとともに、精算スイッチの押下に伴って、前記紙幣収納部に釣銭用の紙幣が貯留されていることを条件に、前記紙幣収納部より釣銭となる紙幣を返却することを特徴とする。【００１８】  これは、釣銭用の紙幣が確保された状態において高額紙幣が投入されたとしても、直ちに釣銭を返却することはせずに保留することにより、遊技客が連続してゲームを行えるようにし、遊技客が、ゲーム終了と判断して精算スイッチを押下したときに初めて釣銭用の紙幣を返却するようにしたものである。
【発明の効果】
【００１９】  本発明の紙幣処理装置は、投入された紙幣を押圧部材でもって紙幣収納部に押し込みながら収納する際に、従来の装置とは逆の方向から、すなわち紙幣搬送手段よりみて遠い側から手前側に接近させるという機構を持ったスタック機構を実現させたものである。その結果、紙幣搬送手段に近い側には、別の機構を付設するだけのスペースが生まれる。そして、このスペースを紙幣返却手段の設置箇所として利用することによって、従来の装置に必要とされる紙幣収納機能を具備しながらも、釣銭機能を備えた紙幣処理装置を現実のものとしている。【００２０】  この紙幣処理装置が組み込なれた遊技媒体貸出機にあっては、釣銭として収納する必要がある紙幣は装置内の紙幣収納部に収納され、高額紙幣や釣銭として収納する必要のない紙幣は、島端などに設けられた金庫に収納される。また、釣銭としての紙幣の返却は、紙幣挿入口と共用の１ヶ所であることから、このような機能を持つ処理装置としては比較的コンパクトに設計することができ、見た目にもすっきりとしたデザインとすることができる。また、高額紙幣を投入してゲームの続行を希望するときには、継続して遊技媒体の払い出しを受けられるようにもなっている。
【発明を実施するための最良の形態】
【００２１】  次に、本発明の最良の実施形態について、図を参照しながら説明する。図１は、遊技機および遊技媒体貸出機の外観を表わす正面図である。図２は、本発明の紙幣処理装置が定常の静止状態にあるときの内部の様子を説明するための正面図と平面図である。図３〜図６は、本発明の紙幣処理装置の作動状態について順を追って説明するための正面図と平面図である。図７は、係止部材の一側面を示す斜視図である。図８は、遊技媒体貸出機に装着された本発明の紙幣処理装置の作動状態を説明するフローチャートである。また、図９は、従来の紙幣処理装置の一例を示すもので、図２における平面図に相当する図である。なお、これらの図において、破線とすべき線をそのまま破線で描くと分かりにくくなるところについては、実線にて描いてある。【００２２】  図１には、遊技機の一例としてのスロットマシン１０と、遊技媒体貸出機の一例としてのメダルサンド２０とが示されている。そして、このスロットマシン１０とメダルサンド２０とは、交互に横並びに設置されることによって、一つの遊技機島（図示せず）を構成する。遊技機島の内部には、その長手方向に沿って紙幣搬送装置２７が架設されるとともに、図２に示すように、紙幣搬送装置２７の本線２７ａである搬送路から枝分かれする支線２７ｂが、それぞれのメダルサンド２０の背面と接続している。また、遊技機島の一端部にあって、紙幣搬送装置２７の末端に当たるところに金庫２８が配設されている。各メダルサンド２０から排出された紙幣は、紙幣搬送装置２７の支線２７ｂから本線２７ａに合流して搬送され、金庫２８に収納される。【００２３】  メダルサンド２０の正面には、遊技客が必要とするときに押下する精算ボタン２１および貸出ボタン２２が取り付けられている。また、液晶ディスプレイなどからなる表示部２３が装着されて、各種データが表示できるようになっている。この表示部２３は、たとえば、メダルの貸出枚数や売上情報、異常表示などを適宜表示するためのデータ表示部２４と、遊技客が投入した紙幣の残額を表示するための残額表示部２５とによって構成されるもので、その値は数字によってデジタル表示される。【００２４】  メダルサンド２０の内部には本発明の紙幣処理装置３０が組み込まれ、紙幣挿入口３１が正面に臨んでいる。メダルサンド２０の下部には、貸出用のメダルを払い出すノズルシュート２６が取り付けられている。紙幣挿入口３１に紙幣を投入して貸出ボタン２２を押下することによって払い出されるメダルは、ノズルシュート２６を通じてスロットマシン１０の下部に設けた受皿１１に受け入れられる。この払い出されたメダルをスロットマシン１０のメダル投入口１２に投入することによって、ゲームの開始が可能となる。【００２５】  ところで、以下に詳述する本発明の紙幣処理装置３０は、紙幣を立てた状態にて挿入する縦形であっても、紙幣を水平に寝かせた状態にて挿入する横形であっても適用することのできる構造となっている。しかしながら、遊技機島に装備された紙幣搬送装置２７と組み合わせたときの紙幣の搬送は、一般的に縦形となる。なお、紙幣搬送装置２７は、遊技機島の上方に単独のラインとして設置する形式のものと、メダルサンド２０を通じ��遊技機島の内部に設置する形式のものとがある。ここでは、メダルサンド２０に組み込まれた場合を例にとり、紙幣が縦形として使用される状態の図面に基づいて説明を続ける。【００２６】  さて、図２に示す紙幣処理装置３０において、紙幣挿入口３１の奥の方に延伸する形で紙幣搬送手段３２が配設されている。この紙幣搬送手段３２は、駆動プーリ３３と従動プーリ３４とを備えており、２つのプーリの間には搬送ベルト３５が架け渡されている。駆動プーリ３３の回転駆動は、駆動モータＭ１によって与えられるもので、駆動モータＭ１の回転は、図示しない歯車類を介して、回転中心の方向転換を伴いながら、駆動プーリ３３の回転軸に伝えられる。【００２７】  搬送ベルト３５に対向する一側は、側壁３６で塞がれている。側壁３６には適所に開口が設けられている。この開口からは、ピンチローラ３７の外周部の一部が、搬送ベルト３５と当接するようにして突設されていて、搬送ベルト３５との間で紙幣搬送路を形成している。紙幣挿入口３１より挿入された紙幣は、搬送ベルト３５とピンチローラ３７とによって挟持されながら、奥の方へと搬送されることとなる。なお、搬送ベルト３５およびピンチローラ３７は、紙幣の幅の両側部に相当する箇所、すなわち縦形にあっては上下の２ヶ所に設けられている。【００２８】  このような紙幣搬送路には、紙幣を識別するための検出手段が数箇所に配設される。まず、Ｓ１は赤外線反射センサを示し、紙幣挿入口３１の近傍に配置されて紙幣が投入されたことを検知する。この赤外線反射センサＳ１は、紙幣の幅方向の２ヶ所に並置される。また、Ｓ２は赤外線透過センサを示す。このセンサＳ２は、搬送路を挟んで発光部と受光部とが向き合って配置されたもので、その間を通過する紙幣の透過光の強弱のパターンを検出して記憶データと照合することにより、紙幣の金種および真贋を判別する。この赤外線透過センサＳ２は、挿入される紙幣の幅方向に３セットが並置される。【００２９】  Ｓ３は磁気センサを示し、そのヘッドと紙幣とが確実に接触するようにするために、ヘッドと対向する位置にピンチローラ３８が配設されている。この磁気センサＳ３は、紙幣のインクに含ませた磁気を感知してその金種および真贋を判別するもので、紙幣の幅方向について２ヶ所に配置される。また、２つの磁気センサＳ３に挟まれて、可視光センサＳ４が配置されている。可視光センサＳ４は、前記の赤外線透過センサＳ２と波長の異なる光によって紙幣の分析を行うもので、赤外線透過センサＳ２を補完するダブルチェックの機能を有している。【００３０】  また、紙幣搬送路には、シャッター装置４０が付設されている。シャター装置４０は、投入した紙幣の通過を許可し、逆送を禁止する機能を有するものである。基本的に、搬送路を塞ぐ突出物が、紙幣の通貨の際には押し退けられ、紙幣が通過したのちに元の位置に復帰して搬送路を塞ぐという構造のものである。この突出物は、紙幣の逆送には動じないように形成されているので、一旦挿入した紙幣が引き戻されるという不正が防止できる。【００３１】  このシャッター装置４０を紙幣挿入口３１の口許近くに形成すれば、その奥に設置されたセンサ類に加えようとする不正工作を防止することが��きる。また、センサ類によって投入された紙幣の金種や真贋が判別される時点では、紙幣は完全に装置内に取り込まれた状態となるので、この点でも不正が防止される。さらに、この紙幣処理装置３０の奥行き寸法を短かくすることができ、奥行きに余裕のない設置箇所に好適する装置として提供することができるようになる。【００３２】  本実施例は、奥行きに余裕があって、シャッター装置４０を搬送路の比較的奥の方に配置した例を示したものである。このような構成のものは、シャッター装置４０そのものに対する外部からの不正な操作が加えにくいという特長を有している。このシャッター装置４０は、軸回りに回動する係止駒４１と、係止駒４１の先端４２を紙幣挿入口３１の方向に付勢するスプリングと、ソレノイド４３と、係止駒４１の回転軸を挟む後端とソレノイド４３とを連結する連結棒４４と、紙幣の通過を確認する図示しない検知センサとによって構成されている。【００３３】  シャッター装置４０は、通常の静止状態においては、係止駒４１の先端４２が、紙幣の搬送方向とは逆の方向にスプリングによって付勢されて、紙幣搬送路の中に臨んだままの状態で静止するように形成されている。スプリングには付勢力の非常に弱いものが使用されているので、投入された紙幣は、スプリングの付勢力に抗して係止駒４１の先端４２を押し退けながら通過することができる。一方、係止駒４１は、スプリングによって付勢されて静止した位置よりさらに逆方向には回動しないように規制されているので、シャッター装置４０を通過した紙幣についてはその逆送が制止される。【００３４】  メダルの貸し出しは、搬送中の紙幣がシャッター装置４０の通過の終了を検知センサが検知しないかぎり、行われないように制御されているので、メダルの貸し出しを受けながら挿入した紙幣を途中から引き戻すという不正が防止できるようになる。しかしながら、後述する釣銭としての紙幣を逆送させる際にはその通過を許可しなければならないから、そのときはソレノイド４３を作動させて係止駒４１の先端４２を押し上げることにより、制止機能を解除する。【００３５】  紙幣搬送路の最奥部には、切替装置５０が付設されている。たとえば、この切替装置５０は、軸回りに回動する切替レバー５１と、切替レバー５１の先端５２を搬送ベルト３５に当接させる方向に付勢する図示しないスプリングと、ソレノイド５３と、切替レバー５１の回転軸を挟む後端とソレノイド５３とを連結する連結棒５４とによって構成されるものである。【００３６】  前記センサ類によって挿入された紙幣の金種および真贋が判別され、それが真券であって高額紙幣であった場合、ならびに釣銭として適合する金種の紙幣であっても、後述する紙幣処理装置３０に形成された紙幣収納部が許容できる最大収納枚数で満たされている場合には、切替レバー５１による方向変換を受けることなく直進して、メダルサンド２０の背面側に接続させた紙幣搬送装置２７へと搬送されていく。【００３７】  一方、紙幣Ｂが釣銭として適合する紙幣であって、しかも釣銭として紙幣収納部に収納することが必要であるときは、ソレノイド５３を作動させて切替レバー５１の先端５２を回動させる。紙幣搬送装置２７へと直進する搬送路が��鎖されるともに、従動プーリ３４周りに回り込む搬送路が新たに出現するようにする。紙幣Ｂは、湾曲して形成されたガイドプレート５５の曲面に沿って誘導される。ガイドプレート５５の下端部には検知センサＳ５が装着されており、搬送された紙幣Ｂが完全に収納されたか否かがチェックされる。この切替装置５０に用いられるスプリングは付勢力が非常に弱いものが使用されているので、釣銭としての紙幣Ｂを逆方向に搬送する際には、その紙幣Ｂは、切替レバー５１の先端５２を押し退けたまま通過することができる。【００３８】  以上のように、釣銭として収納される紙幣Ｂは、紙幣搬送手段３２の裏側（図２（ｂ）の左半分）に回り込んで収納されることとなる。そして、この収納部分には、スタック機構６０が形成されている。スタック機構６０の構造としては、まず、収納される紙幣Ｂをその幅方向の両側部にて支持するための一対の仕切り板６１が、図２（ａ）における上下に設けられる。仕切り板６１は、この装置の筐体６２より突出する棚板状のもので、紙幣Ｂの長手方向に沿った形で延設されたものである。仕切り板６１より紙幣搬送手段３２に近い側（図２（ｂ）の右側）には、壁面状をなす係止部材６３が仕切り板６１と平行に形成されている。なお、この係止部材６３は、本実施例のような壁面状のもののほか、丸棒や回転ローラなどを並置して形成したものであってもよい。【００３９】  仕切り板６１より紙幣搬送手段３２から遠い側（図２（ｂ）の左側）には、パンタグラフ構造の押圧部材変位機構６４が形成されている。押圧部材変位機構６４は、伸張と縮小とを繰り返す往復運動の機能を有するもので、たとえば、付勢手段としてスプリング６５が組み込まれ、押圧部材変位機構６４を伸張させる方向に作用している。一方、押圧部材変位機構６４の一足部は、連結棒６７を仲介としてソレノイド６６と連結されており、ソレノイド６６の作動にともなって、この一足部が図２（ｂ）の上下に摺動するように形成されている。この一足部を引張り方向に摺動させると、押圧部材変位機構６４は、スプリング６５の付勢力に抗してパンタグラフ構造の高さを縮小させる。【００４０】  押圧部材変位機構６４の可動端には、押圧部材６８が装着されている。この押圧部材６８は、紙幣Ｂの幅より狭く、かつ筐体６２内に対向して突設された仕切り板６１の内端同士の間隔よりも幅狭に形成される板状体である。そして、押圧部材変位機構６４の伸縮に伴い、仕切り板６１の間を通り抜けて、仕切り板６１の両側を往来することができるように形成されている。なお、押圧部材６８は、押圧部材変位機構６４がもつパンタグラフ構造によって、伸縮によっても常に当初の状態から平行が維持されるようになっている。【００４１】  以上のように構成されたスタック機構６０において、係止部材６３と押圧部材６８とによって挟まれる間隙が、紙幣Ｂの紙幣収納部６９となる。そして、紙幣収納部６９に収納された紙幣Ｂの表面に対して、係止部材６３が存在する側から当接するように、釣銭返却ローラ７０が付設されている。【００４２】  紙幣返却ローラ７０は、その外表面がゴム類によって形成され、回転時に摩擦力でもって紙幣Ｂを繰り出すようになっている。この紙幣返却ローラ７０���回転駆動は、駆動モータＭ２によって与えられる。駆動モータＭ２の回転は、図示しない歯車類を介して、回転中心の方向転換を伴いながら、紙幣返却ローラ７０の回転軸に伝達されている。また、係止部材６３には、図７に示すように、紙幣Ｂと当接する面に、紙幣の長手方向に延びる土手状をなす複数の突起７１が形成されている。この突起７１の存在によって、係止部材６３と紙幣Ｂとの接触面積が小さくなって摩擦抵抗が減少し、釣銭用の紙幣Ｂの繰り出しがスムースに行なえるようになる。【００４３】  次に、紙幣の収納および返却の仕組みについて、図３〜図６、ならびに図８に示すフローチャートを参照しながら説明する。まず、図２に示したような定常の静止状態にある紙幣処理装置３０に対し、図３に示す矢印Ｆのように、紙幣Ｂを紙幣挿入口３１より挿入すると、赤外線反射センサＳ１が紙幣Ｂの挿入を検知して（図８におけるステップＳ０１。以下ステップ記号のみを記す）、紙幣処理装置３０に作動の開始を指令する（Ｓ０２）。紙幣Ｂは、紙幣搬送手段３２によって搬送される途中の初期の段階で、センサ類Ｓ２，Ｓ３，Ｓ４によってデータが読み取られ（Ｓ０３）、読み取られたデータに基づいてその真贋と金種とが判別される。【００４４】  真贋の判別の結果（Ｓ０４）、真券でないものと判別された紙幣Ｂは、紙幣挿入口３１に戻される。その際、スタック機構６０が定常の静止状態にあるか否かが判断され（Ｓ０５）、定常の位置にあるようであれば、直ちに紙幣搬送手段３２を逆転させて紙幣Ｂを返却する（Ｓ０６）。もし、スタック機構６０が作動中であって定常の位置に戻っていないようであれば、紙幣詰まりなどのトラブルを防止するため、スタック機構６０が定常の位置に戻るまで待機してから（Ｓ０７）紙幣搬送手段３２が逆転を開始するように、図示しない制御部によって制御されている。【００４５】  投入された紙幣Ｂが真券であると判別されれば、その金額が表示部２３の残額表示部２５に表示される（Ｓ０８）。また、その紙幣Ｂの金種が高額紙幣であるか否かの判別に基づいて（Ｓ０９）、高額紙幣である場合には、切替レバー５１が作動することはなく、紙幣Ｂは、遊技機島に設置された紙幣搬送装置２７によって搬送され（Ｓ１０）、最終的には金庫２８に収納される（Ｓ１１）。また、釣銭に適した紙幣Ｂ（通常は千円札）と判別されたとしても（Ｓ１２）、紙幣収納部６９が許容できる枚数ですでに満たされている場合は紙幣搬送装置２７へと搬送され（Ｓ１０）、金庫２８に収納される（Ｓ１１）。【００４６】  紙幣収納部６９に紙幣を収納する余裕のある場合には、切替装置５０の切替レバー５１が作動して、釣銭に適した紙幣Ｂを紙幣収納部６９へと誘導する搬送路を形成する（Ｓ１３）。これとほぼ同時に、図３に示される矢印ＦＦのように、スタック機構６０の押圧部材変位機構６４がソレノイド６６の作動によって変位を開始し、押圧部材６８が仕切り板６１の間を通り過ぎるところまで縮小してから停止する（Ｓ１４）。このとき、紙幣収納部６９にはすでに収納された紙幣Ｂが存在していても、係止部材６３に阻まれて押圧部材６８の側に進入してくることはない。このようにして生じた仕切り板６１と押圧部材６８との間の間隙が、投��された紙幣Ｂを取り込むための紙幣取込部７２となる。【００４７】  紙幣Ｂは、図４に示すように、ガイドプレート５５によって誘導されながら搬送され、紙幣取込部７２に取り込まれる（Ｓ１５）。紙幣Ｂの取り込みの終了が検知センサＳ５によって確認されたのちソレノイド６６が解放され、図５に示す矢印ＦＲのように、スタック機構６０に組み込まれたスプリング６５の付勢力でもって押圧部材変位機構６４が伸張する（Ｓ１６）。押圧部材６８による押圧を受けて、紙幣Ｂは、その幅方向の両側部を折曲させながら係止部材６３を乗り越え、紙幣収納部６９に収納されることとなる。【００４８】  遊技客がゲームを開始するためには、貸出ボタン２２を押下して（Ｓ１７）、メダルの払い出しを受けなければならない（Ｓ１８）。すると、貸出相当分の金額が減算処理され（Ｓ１９）、その残額は残額表示部２５に表示される（Ｓ０８）。メダルの貸し出しを継続することのできる残額が残っていない場合には、ゲームは終了する（Ｓ２０）。残額が残っている場合には、遊技客がゲームを継続する意向があるかを選択する（Ｓ２１）。ゲームを繰り返す場合には、貸出ボタン２２を押下する（Ｓ１７）。精算ボタン２１を押下すれば（Ｓ２２）、ゲームは終了する。【００４９】  精算ボタン２１が押下されると、図６に示した矢印Ｒのように、紙幣Ｂに当接させた釣銭返却ローラ７０が回転して紙幣Ｂを１枚づつ順番に繰り出すとともに、紙幣搬送手段３２も逆回転を開始して紙幣Ｂを逆送し（Ｓ２３）、釣銭としての紙幣Ｂを紙幣挿入口３１より排出する。このとき、シャッター装置４０は、紙幣Ｂの通過を妨げることがないように開放されている。
【図面の簡単な説明】
【００５０】
【図１】  遊技機および遊技媒体貸出機の外観を表わす正面図である。
【図２】  本発明の紙幣処理装置が定常状態にあるときの内部の様子を説明するための（ａ）は正面図、（ｂ）は平面図である。
【図３】  紙幣処理装置の内部の作動状態を説明するための（ａ）は正面図、（ｂ）は平面図である。
【図４】  紙幣処理装置の内部の作動状態を説明するための（ａ）は正面図、（ｂ）は平面図である。
【図５】  紙幣処理装置の内部の作動状態を説明するための（ａ）は正面図、（ｂ）は平面図である。
【図６】  紙幣処理装置の内部の作動状態を説明するための（ａ）は正面図、（ｂ）は平面図である。
【図７】  係止部材の一側面を示す斜視図である。
【図８】  本発明の紙幣処理装置の組み込まれた遊技媒体貸出機の作動状態を説明するフローチャートである。
【図９】  従来の紙幣処理装置の一例を示す平面図相当図である。
【符号の説明】
【００５１】１０  スロットマシン
２０  メダルサンド
２１  精算ボタン
２２  貸出ボタン
３０  紙幣処理装置
３１  紙幣挿入口
３２  紙幣搬送手段
３５  搬送ベルト
４０  シャッター装置
５０  切替装置
６０  スタック機構
６１  仕切り板
６３  係止部材
６４  押圧部材変位機構
６５  スプリング
６８  押圧部材
６９  紙幣収納部
７０  紙幣返却ローラ
７２  紙幣取込部
Ｂ  紙幣
【図１】
2006302236.tif 000003
【図２】
2006302236.tif 000004
【図３】
2006302236.tif 000005
【図４】
2006302236.tif 000006
【図５】
2006302236.tif 000007
【図６】
2006302236.tif 000008
【図７】
2006302236.tif 000009
【図８】
2006302236.tif 000010
【図９】
2006302236.tif 000011